(57)【要約】【課題】裁断装置や押上部材を省略し、畳床の平面視形状に合わせて畳表に折目を付ける作業だけに特化した整形装置を開発するため、検討した。【解決手段】装置フレーム１に設けられたレール11,11に沿って水平移動する上前整形部２と、前記上前整形部２に対して水平旋回する下前整形部３とから構成され、上前整形部２は、レール11,11に沿って水平移動自在な移動ベース21と、前記移動ベース21に対して昇降自在に支持され、移動ベース21の上面と共に畳表６を挟持する上前定規22とからなり、そして下前整形部４は、装置フレーム１又はレール11に垂直軸311で軸着され、前記垂直軸311を中心に水平旋回自在な旋回ベース31と、前記旋回ベース31に対して昇降自在に支持され、旋回ベース31の上面と共に畳表６を挟持する下前定規32とからなる畳表の整形装置である。【選択図】図１
2010168830.tif 000002
【特許請求の範囲】
【請求項１】
装置フレームに設けられたレールに沿って水平移動する上前整形部と、前記上前整形部に対して水平旋回する下前整形部とから構成され、
上前整形部は、レールに沿って水平移動自在な移動ベースと、前記移動ベースに対して昇降自在に支持され、移動ベースの上面と共に畳表を挟持する上前定規とからなり、そして
下前整形部は、装置フレーム又はレールに垂直軸で軸着され、前記垂直軸を中心に水平旋回自在な旋回ベースと、前記旋回ベースに対して昇降自在に支持され、旋回ベースの上面と共に畳表を挟持する下前定規とからなる畳表の整形装置。
【請求項２】
移動ベースは、畳表を挟持するまで下降した上前定規の定規縁部に近接した上前揺動軸を中心に、上面から持ち上げて垂直面内で回動する上前折返し定規を設けた請求項１記載の畳表の整形装置。
【請求項３】
旋回ベースは、畳表を挟持するまで下降した下前定規の定規縁部に近接した下前揺動軸を中心に、上面から持ち上げて垂直面内で回動する下前折返し定規を設けた請求項１又は２いずれか記載の畳表の整形装置。
【請求項４】
装置フレームに設けられたレールに対して位置固定された上前整形部と、前記上前整形部に対して水平移動及び水平旋回する下前整形部とから構成され、
上前整形部は、レールに対して位置固定された固定ベースと、前記固定ベースに対して昇降自在に支持され、固定ベースの上面と共に畳表を挟持する上前定規とからなり、そして
下前整形部は、レールに沿って水平移動自在な移動ベースと、前記移動ベースに垂直軸で軸着され、前記垂直軸を中心に水平旋回自在な旋回ベースと、前記旋回ベースに対して昇降自在に支持され、旋回ベースの上面と共に畳表を挟持する下前定規とからなる畳表の整形装置。
【請求項５】
固定ベースは、畳表を挟持するまで下降した上前定規の定規縁部に近接した上前揺動軸を中心に、上面から持ち上げて垂直面内で回動する上前折返し定規を設けた請求項４記載の畳表の整形装置。
【請求項６】
旋回ベースは、畳表を挟持するまで下降した下前定規の定規縁部に近接した下前揺動軸を中心に、上面から持ち上げて垂直面内で回動する下前折返し定規を設けた請求項４又は５いずれか記載の畳表の整形装置。
【発明の詳細な説明】
【技術分野】
【０００１】
本発明は、畳表の整形装置に関する。
【背景技術】
【０００２】
近年、住宅様式が多様化し、洋室に畳を直敷きする目的や、和室でも、縁布が与える強い印象を避けたり、外観上床面積を広く見せたりする目的から、縁無し畳の需要が高まっている。ところが、縁無し畳用畳表（以下、本発明において「畳表」は主に縁無し畳用畳表を指すものとする。）において、経糸が折り曲げられる側（例えば框側）は問題ないが、緯条（い草）が折り曲げられる側（例えば上前側又は下前側）は、緯条の折目が乱れやすい問題があった。これから、畳表の緯条が折り曲げられる側を予め畳床に合わせて折り曲げて、折目を付ける畳表の整形装置が提案されるに至っている。
【０００３】
特許文献１が開示する畳表の整形装置は、畳表に折目（折り癖）をつける押え定規プレートを基準として、押え定規プレートからはみ出す部分を裁断する（クセ取りする）裁断装置や、押え定規プレートからはみ出す部分を下方から押し上げる長尺押上部材を備える。これにより、畳床の平面視外形に沿った折目を有する畳表の整形、すなわち折目付け、不要部分の切除及び折り曲げまでを一連の作業を連続して実施できるようにしている。
【先行技術文献】
【特許文献】
【０００４】
【特許文献１】特開2005-314953号公報
【発明の概要】
【発明が解決しようとする課題】
【０００５】
縁無し畳において、審美性を高めるため、畳表に予め折目を付けることは好ましい。しかし、畳表の縁部は、畳床の裏面に折り返して通常人目に触れない部分であるため、例えば特許文献１に見られるように、押え定規プレートに沿って綺麗にクセ取りする必要はない。また、他の畳製造装置との作業分担を考慮した場合、折目を付けた畳表を縫着専門装置に移して畳床に縫着する方が能率的に好ましい。これから、特許文献１が開示する整形装置から、裁断装置や押上部材を省略しても構わないと考えられる。
【０００６】
ここで、畳床の平面視形状は、対向する上前及び下前が完全な平行ではないことから、畳表の整形装置においても、前記畳床の平面視形状を加味して畳表に折目を付けることが望まれる。この点、特許文献１が開示する整形装置には、こうした畳床の平面視形状を加味して、畳表に折目を付けることに関して何ら明示又は示唆するところがない。そこで、裁断装置や押上部材を省略し、畳床の平面視形状に合わせて畳表に折目を付ける作業だけに特化した整形装置を開発するため、検討した。
【課題を解決するための手段】
【０００７】
検討の結果開発したものが、装置フレームに設けられたレールに沿って水平移動する上前整形部と、前記上前整形部に対して水平旋回する下前整形部とから構成され、上前整形部は、レールに沿って水平移動自在な移動ベースと、前記移動ベースに対して昇降自在に支持され、移動ベースの上面と共に畳表を挟持する上前定規とからなり、そして下前整形部は、装置フレーム又はレールに垂直軸で軸着され、前記垂直軸を中心に水平旋回自在な旋回ベースと、前記旋回ベースに対して昇降自在に支持され、旋回ベースの上面と共に畳表を挟持する下前定規とからなる畳表の整形装置である。上前定規はレールに直交する直線定規、下前定規は旋回ベースが旋回しない基準位置でレールに直交する直線定規である。本発明の畳表の整形装置は、上前整形部及び下前整形部に畳表に架け渡し、上前整形部で上前の折目を形成させ、下前整形部で下前の折目を形成させる。
【０００８】
本発明の畳表の整形装置について、使用手順に従って各部を説明する。まず、下前整形部は、装置フレーム又はレールに設けた垂直軸を中心に旋回ベースを水平旋回させ、畳床の下前に合わせて下前定規を水平面内で傾けさせる。そして、上前整形部は、装置フレームに設けられたレールに沿って移動ベースを水平移動させ、畳床の平面視形状の幅に合わせて上前定規と下前定規との距離を調整させる（正確には、上前定規及び下前定規の各定規縁部の距離を、畳床の右框又は左框に沿って調整させる。）。上前定規及び下前定規の距離は、別途メジャー等により計測してもよいが、レールに付した目盛りに従って移動ベースを水平移動させると簡便である。また、移動ベースの水平移動は、レールに付設したラックに対し、移動ベースに軸着したピニオンを噛み合わせるラックピニオン機構を用いるとよい。
【０００９】
畳表は、調整を終えた上前整形部の移動ベースと下前整形部の旋回ベースとに架け渡し、上前定規及び移動ベースと下前定規及び旋回ベースとにそれぞれ挟持させる。例えば上前定規は、移動ベースに立設した昇降軸に沿って手動操作により昇降させてもよいが、移動ベースに軸支した伸縮シリンダのロッドにより支持し、動力により昇降させてもよい。下前定規も同様である。このとき、上前定規又は下前定規の各定規縁部からはみ出す畳表の余剰は、必要に応じて、作業者が切除する。例えば、上前定規又は下前定規に付設した裁断定規に沿ってカッターにより前記余剰を切除させてもよい。そして、上前定規の定規縁部からはみ出す畳表の余剰を定規縁部に添って折り曲げ、同じく下前定規からはみ出す畳表の余剰を定規縁部に添って折り曲げさせれば、畳床の平面視形状に合わせて上前及び下前の折目が形成される。
【００１０】
畳表は、上前定規又は下前定規の各定規縁部に添って余剰を折り曲げれば折目を付けることができるが、各定規縁部に密着して綺麗な折目を形成するには、次のような上前折返し定規又は下前折返し定規を移動ベース又は旋回ベースに設けるとよい。すなわち、移動ベースは、畳表を挟持するまで下降した上前定規の定規縁部に近接した上前揺動軸を中心に、上面から持ち上げて垂直面内で回動する上前折返し定規を設け、また旋回ベースは、畳表を挟持するまで下降した下前定規の定規縁部に近接した下前揺動軸を中心に、上面から持ち上げて垂直面内で回動する下前折返し定規を設ける。
【００１１】
上記畳表の整形装置は、畳床の平面視形状に合わせた上前定規及び下前定規の距離の調整を上前整形部に、また下前定規の傾きの調整を下前整形部に担わせていた。しかし、上前整形部を位置固定としても、下前整形部に距離の調整及び傾きの調整を担わせれば、本発明を構成しえる。すなわち、本発明は、装置フレームに設けられたレールに対して位置固定された上前整形部と、前記上前整形部に対して水平移動及び水平旋回する下前整形部とから構成され、上前整形部は、前記レールに対して位置固定された固定ベースと、前記固定ベースに対して昇降自在に支持され、固定ベースの上面と共に畳表を挟持する上前定規とからなり、そして下前整形部は、レールに直交して延在し、前記レールに沿って水平移動自在な移動ベースと、前記移動ベースに垂直軸で軸着され、前記垂直軸を中心に水平旋回自在な旋回ベースと、前記旋回ベースに対して昇降自在に支持され、旋回ベースの上面と共に畳表を挟持する下前定規とからなる畳表の整形装置とすることもできる。この場合も、上前定規はレールに直交する直線定規、下前定規は旋回ベースが旋回しない基準位置でレールに直交する直線定規である。
【００１２】
この場合でも、上前の折目又は下前の折目を綺麗に形成するため、固定ベースは、畳表を挟持するまで下降した上前定規の定規縁部に近接した上前揺動軸を中心に、上面から持ち上げて垂直面内で回動する上前折返し定規を設け、旋回ベースは、畳表を挟持するまで下降した下前定規の定規縁部に近接した下前揺動軸を中心に、上面から持ち上げて垂直面内で回動する下前折返し定規を設けるとよい。このほか、上前定規又は下前定規の昇降に伸縮シリンダを利用したり、上前定規又は下前定規からはみ出す余剰の切除に裁断定規を併用したりすることは、上述した畳表の整形装置同様である。
【発明の効果】
【００１３】
本発明の畳表の整形装置は、基本構成として、裁断装置や押上部材を省略し、畳床の平面視形状に合わせて畳表に折目を付ける作業だけに特化しているため、取り扱いが簡便であり、設置面積も小さくて済み、何より製造コストを低減することができる。また、畳表に折目を付ける作業だけに特化することにより、畳の製造に要する作業を他の装置と分担しやすくなり、結果として能率的に縁無し畳を製造できるようになる。
【図面の簡単な説明】
【００１４】
【図１】本発明に基づく畳表の整形装置の一例を表す平面図である。
【図２】本発明に基づく畳表の整形装置の一例を表す正面図である。
【図３】上前整形部及び下前整形部に畳表を架け渡した状態の本例を表す図１相当平面図である。
【図４】上前整形部及び下前整形部に畳表を架け渡した状態の本例を表す図２相当正面図である。
【図５】畳表の余剰を切断した状態の本例を表す図１相当平面図である。
【図６】畳表の余剰を切断した状態の本例を表す図２相当正面図である。
【図７】畳表の上前及び下前の折目を形成した状態の本例を表す図１相当平面図である。
【図８】畳表の上前及び下前の折目を形成した状態の本例を表す図２相当正面図である。
【図９】本発明に基づく畳表の整形装置の別例を表す図１相当平面図である。
【図１０】本発明に基づく畳表の整形装置の別例を表す図２相当正面図である。
【発明を実施するための形態】
【００１５】
本発明を実施するための形態について、図を参照しながら説明する。本発明に基づく畳表の整形装置は、例えば図１及び図２に見られるように構成される。本例の整形装置は、角パイプを組んで装置フレーム１を構成し、前記装置フレーム１の上面を形成する前後一対の平行な角パイプをレール11,11として、上前整形部２を前記レール11,11に沿って水平移動（図１及び図２中紙面左右方向への移動、図１中白抜き直線矢印参照）させ、下前整形部３を奥側のレール11の背面側に付設した垂直軸311を中心に水平旋回させる（図１中白抜き円弧矢印参照）。
【００１６】
上前整形部２は、レール11,11に沿って水平移動自在な移動ベース21と、前記移動ベース21に対して昇降自在に支持され、移動ベース21の上面と共に畳表6（後掲図３以下参照）を挟持する上前定規22とからなる。上前定規22は、レール11,11に直交する直線定規である。移動ベース21は、各レール11に対して走行車輪211を載せ、手前のレール11の正面側及び奥のレール11の背面側に設けたラック112,112に噛み合うピニオン212,212を操作ハンドル213により回転させることで、水平移動する。本例は、下前整形部３の垂直軸311が奥側のレール11の背面側に付設されているため、移動ベース21の移動距離と左框の長さとを対応づけて上前整形部２を水平移動させるものとし、前記奥側のレール11に左框の長さに対応した目盛り111を付している。
【００１７】
移動ベース21は、レール11より下方に吊り下げられたシリンダ受け214,214を前後一対に有しており、各シリンダ受け214に対してロッドが上方に伸長するように伸縮シリンダ23を取り付け、前記伸縮シリンダ23のロッドに、門形状に構成した定規支持フレーム221を架設させている。上前定規22は、前記定規支持フレーム221の左側（図１中左側）に定規縁部が突出するように取り付けている。本例は、畳表６の余剰61（後掲図５及び図６参照）を切除する際の利便性を鑑み、カッターを宛てがう裁断定規222を、定規支持フレーム221に対して上方へ待避自在に設けている。
【００１８】
また、移動ベース21は、畳表６を移動ベース21の上面と共に挟持するまで下降した上前定規22の定規縁部に近接した位置に前記定規縁部に沿って上前揺動軸216を設け、この上前揺動軸216を中心に、移動ベース21の上面から持ち上げて垂直面内で回動する上前折返し定規215を設けている。本例の上前折返し定規215は、断面方形の長尺な金属製角パイプ（重量物）として構成している。これは、上前折返し定規215を手に持って取り扱いやすくしたことのほか、上前折返し定規215を重量物とし、折り返す畳表６を押さえつけて折目62（後掲図８参照）をくっきりと形成するためである。これから、単に畳表６を折り返す目的であれば、上前折返し定規215は板状部材として構成してもよい。
【００１９】
下前整形部３は、奥側のレール11の背面側縁部（図１中レール11とラック112との境界線）に付設された垂直軸311を中心に水平旋回自在な旋回ベース31と、前記旋回ベース31に対して昇降自在に支持され、旋回ベース31の上面と共に畳表6を挟持する下前定規32とからなる。下前定規32は、旋回ベース31が旋回しない基準位置（移動ベース21の鏡面対称位置）でレール11,11に直交する直線定規である。旋回ベース31は、各レール11に摺接する固定プレート312を底面側に設けており、前記固定プレート312を手前側のレール11の上面側に対してネジ止めすることにより、水平旋回した傾きを維持する。固定プレート312は、手前側のレール11にネジ止めする固定ネジ113のネジ部分を貫通させる長孔を設けてあり、下前整形部３を水平旋回させる範囲で固定ネジ113が邪魔にならないようにしている。
【００２０】
旋回ベース31は、上述の移動ベース21同様、レール11より下方に吊り下げられたシリンダ受け313,313を前後一対に有しており、各シリンダ受け313に対してロッドが上方に伸長するように伸縮シリンダ33を取り付け、前記伸縮シリンダ33のロッドに、門形状に構成した定規支持フレーム321を架設させている。下前定規32は、前記定規支持フレーム321の右側（図１中右側）に定規縁部が突出するように取り付けている。また、畳表６の余剰61（後掲図５及び図６参照）を切除する際の利便性を鑑み、カッターを宛てがう裁断定規322を、定規支持フレーム321に対して上方へ待避自在に設けている構成も、上述の移動ベース21同様である。
【００２１】
更に、旋回ベース31は、畳表６を旋回ベース31の上面と共に挟持するまで下降した下前定規32の定規縁部に近接した位置に前記定規縁部に沿って下前揺動軸315を設け、この下前揺動軸315を中心に、旋回ベース31の上面から持ち上げて垂直面内で回動する下前折返し定規314を設けている。下前折返し定規314を、断面方形の長尺な金属製角パイプ（重量物）として構成した理由も、上述の上前整形部２同様である。このように、上前整形部２と下前整形部３とは、上前整形部２が水平移動のみ、下前整形部３が水平旋回のみとそれぞれ動きが異なるほか、部材構成は極めて類似しており、部材の共通化により製造コストを低減できる利点がある。
【００２２】
本例の畳表の整形装置の使用手順を説明する。まず、図１及び図２に見られるように、固定ネジ113を緩めて下前整形部３を水平旋回させ、畳床の下前に合わせて下前定規32を水平面内で傾けさせる。この下前に合わせた下前整形部３の水平旋回はごく僅かであるため、図３以下では下前整形部３が傾いたように見えないが、本例は左框の長さ（図１中上側）より右框の長さ（図１中下側）が長いとして、下前整形部３を右方向（図１及び図２中右方向）に下前整形部３が傾いている。こうして下前整形部３の傾きを終えれば、再び固定ネジ113を締めて、下前整形部３の傾いた姿勢を維持する。
【００２３】
次に、上前定規22の定規縁部と下前定規32の定規縁部との間隔を調整するため、上前整形部２を水平移動させる。本例は、奥側のレール11に付した目盛り111を参考に、奥側のレール11の背面（図１中レール11とラック112との境界線）に沿った上前定規22の定規縁部と下前定規32の定規縁部との間隔が、目的とする畳表における左框の長さに一致するように、上前整形部２を水平移動させる。これは、下前整形部３の垂直軸311をレール11の背面側に配したことにより、前記背面側を基準として左框の長さを決定することが好ましいからである。
【００２４】
こうして上前整形部２及び下前整形部３の調整が終わると、既述したように、奥側のレール11の背面側を左框として、畳表６を上前整形部２の移動ベース21と下前整形部３の旋回ベース31とに架け渡す。そして、図3及び図４に見られるように、各伸縮シリンダ23,33のロッドを縮退させると定規支持フレーム221,321と共に上前定規22及び下前定規32が下降し、移動ベース21の上面と共に上前定規22が、また旋回ベース31の上面と共に下前定規32が、それぞれ畳表６を挟持する。このとき、上前定規上前定規22の定規縁部が上前に、そして下前定規32の定規縁部が下前に一致するので、各定規縁部に添って畳表６を折り返せば、上前及び下前に沿った折目が形成される。
【００２５】
本例は、上前定規22及び下前定規32の各定規縁部からはみ出す畳表６の余剰61を切除するため、各定規支持フレーム221,321からそれぞれ裁断定規222,322を降ろし、上前折返し定規215,314の幅方向（図３及び図４左右方向）の中間付近に裁断定規222,322の各定規縁部を宛てがい、前記定規縁部に沿ってカッターを走らせることにより前記余剰61を切除できるようにしている。余剰61を特に決まった位置で綺麗に切除する必要がなければ、わざわざ裁断定規222,322を降ろすことなく、作業者が任意にカッターで前記余剰61を切除してもよい。
【００２６】
そして最後に、図７及び図８に見られるように、上前折返し定規215及び下前折返し定規314をそれぞれ上前揺動軸216又は下前揺動軸315を中心に引き起こすと、上前定規22及び下前定規32の各定規縁部からはみ出す部分が上向きに折り返され、前記上前定規22及び下前定規32の各定規縁部が畳表６に押し当てられて、折目62を形成する。上前定規22及び下前定規32の各定規縁部は断面鋭角であり、既述したように上前折返し定規215及び下前折返し定規314は重量物であるから、折目62はくっきりかつしっかりと形成できる。すなわち、折目62の形成後、定規支持フレーム221,321を上昇させて畳表６を解放しても、折目62は消失することなく、後工程である畳床への縫着作業に際して綺麗に畳表６を上前及び下前に沿って折ることができる。
【００２７】
本発明は、図９及び図10に見られるようにも構成できる。別例の畳表の整形装置は、装置フレーム１に設けられたレール11,11に対して位置固定された上前整形部4と、前記上前整形部4に対して水平移動及び水平旋回する下前整形部5とから構成される。上前整形部４は、レール11,11に対して位置固定された固定ベース41と、前記固定ベース41に対して昇降自在に支持され、固定ベースの上面と共に畳表を挟持する上前定規42とからなる。上前定規42は、レール11,11に直交する直線定規である。下前整形部５は、レール11,11に沿って水平移動自在な移動ベース51と、前記移動ベース51に垂直軸521で軸着され、前記垂直軸521を中心に水平旋回自在な旋回ベース52と、前記旋回ベース52に対して昇降自在に支持され、旋回ベース52の上面と共に畳表６（図３ほか参照）を挟持する下前定規53とからなる。下前定規53は、旋回ベース52が旋回しない基準位置でレール11,11に直交する直線定規である。
【００２８】
上前整形部４の固定ベース41は、各レール11と一体に設けられ、レール11より下方に吊り下げられたシリンダ受け413,413を前後一対に有しており、各シリンダ受け413に伸縮シリンダ43を取り付け、前記伸縮シリンダ23のロッドに定規支持フレーム421を架設させている。上前定規42は、前記定規支持フレーム421の右側（図９中右側）に取り付けている。また、畳表６の余剰61（図５及び図６参照）を切除するため、カッターを宛てがう裁断定規422を定規支持フレーム421に設けている。そして、下降させた上前定規42の定規縁部に近接した位置に設けた上前揺動軸415を中心に、固定ベース41の上面から持ち上げて垂直面内で回動する上前折返し定規414を設けている。
【００２９】
下前整形部５は、下段の移動ベース51と上段の旋回ベース52との二段構造である。移動ベース51は、レール11,11に走行車輪511を載せ、レール11,11に設けたラック112,112に噛み合うピニオン512,512を操作ハンドル513により回転させて、水平移動させる。別例は、旋回ベース52の垂直軸521を奥側のレール11と同じ奥行き位置に設けているため、移動ベース51の移動距離と左框の長さとを対応づけて下前整形部５を水平移動させるものとし、前記奥側のレール11に左框の長さに対応した目盛り111を付している。
【００３０】
旋回ベース52は、移動ベース51の上面に摺接する固定プレート522を、前記移動ベース51の上面に固定ネジ113でネジ止めして、水平旋回した傾きを維持する。また、旋回ベース52は、上述の固定ベース41同様、レール11より下方に吊り下げられたシリンダ受け523,523に対して伸縮シリンダ54を取り付け、前記伸縮シリンダ54のロッドに定規支持フレーム321を架設させている。定規支持フレーム321は、下前定規53を取り付けているほか、裁断定規532を待避自在に設けている。そして、下降させた下前定規53の定規縁部に近接した位置に設けた下前揺動軸525を中心に、旋回ベース52の上面から持ち上げて垂直面内で回動する下前折返し定規524を設けている。
【符号の説明】
【００３１】
１  装置フレーム
11  レール
２  上前整形部
21  移動ベース
215  上前折返し定規
216  上前揺動軸
22  上前定規
３  下前整形部
31  旋回ベース
314  下前折返し定規
315  下前揺動軸
32  下前定規
４  上前整形部
41  固定ベース
414  上前折返し定規
415  上前揺動軸
42  上前定規
５  下前整形部
51  移動ベース
52  旋回ベース
524  下前折返し定規
525  下前揺動軸
53  下前定規
６  畳表
【図１】
2010168830.tif 000003
【図２】
2010168830.tif 000004
【図３】
2010168830.tif 000005
【図４】
2010168830.tif 000006
【図５】
2010168830.tif 000007
【図６】
2010168830.tif 000008
【図７】
2010168830.tif 000009
【図８】
2010168830.tif 000010
【図９】
2010168830.tif 000011
【図１０】
2010168830.tif 000012